(57)【要約】【課題】本発明は、機械による開封しかできないセキュリティ性の高い抽選券（くじ）であって、開封する順番で抽選券としての価値が変化するようなシステムに適応できる抽選券およびその製造方法を提供することを課題とするものである。【解決手段】透明基材の一方の側の面に、少なくとも低融点金属薄膜層と透明性を有する保護層とを順次設けてあり、他の側の面に、少なくとも受像層、抽選情報層および反射隠蔽層とを順次設けてあり、該受像層は前記透明基材よりも小さい面積で設けられて、該受像層上に抽選に用いられる前記抽選情報層を構成する抽選情報が記録されており、かつ隠蔽性を有する前記低融点金属薄膜層により前記保護層側から該抽選情報が視認不可能であることを特徴とする抽選券およびその製造方法である。【選択図】図２
2004101594.tif 000002
【特許請求の範囲】
【請求項１】
透明基材の一方の側の面に、少なくとも低融点金属薄膜層と透明性を有する保護層とを順次設けてあり、他の側の面に、少なくとも受像層、抽選情報層および反射隠蔽層とを順次設けてあり、該受像層は前記透明基材よりも小さい面積で設けられて、該受像層上に抽選に用いられる前記抽選情報層を構成する抽選情報が記録されており、かつ隠蔽性を有する前記低融点金属薄膜層により前記保護層側から該抽選情報が視認不可能であることを特徴とする抽選券。
【請求項２】
前記受像層が、透明性を有し、インクジェットによる画像情報の記録に関わる受像適性を有することを特徴とする請求項１に記載の抽選券。
【請求項３】
前記抽選情報層に記録されている抽選情報が、インクジェット記録による抽選情報からなることを特徴とする請求項１または２記載の抽選券。
【請求項４】
前記隠蔽性を有する低融点金属薄膜層が、前記保護層を介して加熱されることにより少なくとも一部が溶融し、該隠蔽性が消失し、前記保護層側から前記抽選情報層に記録されている該抽選情報が視認可能となることを特徴とする請求項１〜３のいずれか１項に記載の抽選券。
【請求項５】
透明基材の一方の側の面に、少なくとも低融点金属薄膜層と透明性を有する保護層とが順次設けてなる隠蔽シートを作成する工程と、他の側の面に、少なくとも受像層、抽選情報層および反射隠蔽層とを順次設け、該受像層は前記透明基材よりも小さい面積で設け、該受像層上に抽選に用いられる前記抽選情報層を構成する抽選情報を記録して抽選シートを作成する工程からなることを特徴とする抽選券の製造方法。
【請求項６】
前記受像層が、透明性を有し、インクジェットによる画像情報の記録に関わる受像適性を有することを特徴とする請求項５記載の抽選券の製造方法。
【請求項７】
前記抽選情報層に記録されている抽選情報が、インクジェット記録による抽選情報からなることを特徴とする請求項５または６記載の抽選券の製造方法。
【請求項８】
請求項５記載の抽選券の製造方法において、透明基材の一方の側の面に、少なくとも低融点金属薄膜層と透明性を有する保護層とが順次設けてなる工程で作成されたことを特徴とする隠蔽シート。
【請求項９】
請求項５記載の抽選券の製造方法において、プラスチックを主体とするシート状基材の一方の側の面に、少なくとも受像層、抽選情報層および反射隠蔽層とを順次設け、該受像層は前記透明基材よりも小さい面積で設け、該受像層上に抽選に用いられる前記抽選情報層を構成する抽選情報を記録する工程で作成されたことを特徴とする抽選シート。
【請求項１０】
請求項５記載の抽選券の製造方法において、不透明性シート状基材の一方の側の面に、少なくとも受像層、抽選情報層および反射隠蔽層とを順次設け、該受像層は前記透明基材よりも小さい面積で設け、該受像層上に抽選に用いられる前記抽選情報層を構成する抽選情報を記録する工程で作成されたことを特徴とする抽選シート。
【請求項１１】
前記不透明基材と受像層との間に、前記抽選情報層側に光りを反射する反射層が設けてあることを特徴とする請求項１０記載の抽選シート。
【請求項１２】
前記不透明基材が、該基材の少なくとも一部を隠蔽する不透明性を発揮する部分を有することを特徴とする請求項１０または１１記載の抽選シート。
【発明の詳細な説明】
【０００１】
【発明の属する技術分野】
本発明は、抽選に用いる番号類を隠蔽した抽選券（宝くじ等）、秘密情報を隠蔽したカード（プリペイド式テレホンカード等）の隠蔽部を除去すると隠蔽した情報が出てくる抽選券及びカードに関するものであり、特に、偽造防止を付加した抽選券およびその製造方法に関するものである。
【０００２】
【従来の技術】
隠蔽層で剥離可能な状態に隠蔽してなるくじ付き印刷物は、例えば、アルミ粉を用いたシルバー色のゴム系隠蔽インキを用いて、抽選情報部や秘密情報部を隠蔽し、誰でもがその場で抽選券（くじ）の情報をコイン等で削って情報を取り出していた。これは抽選情報が固定されていて既に当たりはずれが定まっており、その確認のための開封（隠蔽層除去）を利用者がおこなうものである。
従来のくじの構成では、人間の手で簡単に開封できるという利便性もあったが、削る順番で抽選券の価値が変化するようなシステムに対しては、削っておいてまた隠蔽する等の不正が比較的容易にできるため使用できなかった。
【０００３】
【発明が解決しようとする課題】
本発明は、上記の従来の問題点を解決するためになされたものであって、機械による開封しかできないセキュリティ性の高い抽選券（くじ）であって、開封する順番で抽選券としての価値が変化するようなシステムに適応できる抽選券およびその製造方法を提供することを課題とするものである。
【０００４】
【課題を解決するための手段】
上記課題を解決するために、請求項１に係る発明は、透明基材の一方の側の面に、少なくとも低融点金属薄膜層と透明性を有する保護層とを順次設けてあり、他の側の面に、少なくとも受像層、抽選情報層および反射隠蔽層とを順次設けてあり、該受像層は前記透明基材よりも小さい面積で設けられて、該受像層上に抽選に用いられる前記抽選情報層を構成する抽選情報が記録されており、かつ隠蔽性を有する前記低融点金属薄膜層により前記保護層側から該抽選情報が視認不可能であることを特徴とする抽選券である。
【０００５】
また、請求項２に係る発明は、前記受像層が、透明性を有し、インクジェットによる画像情報の記録に関わる受像適性を有することを特徴とする請求項１に記載の抽選券である。
【０００６】
また、請求項３に係る発明は、前記抽選情報層に記録されている抽選情報が、インクジェット記録による抽選情報からなることを特徴とする請求項１または２記載の抽選券である。
【０００７】
また、請求項４に係る発明は、前記隠蔽性を有する低融点金属薄膜層が、前記保護層を介して加熱されることにより少なくとも一部が溶融し、該隠蔽性が消失し、前記保護層側から前記抽選情報層に記録されている該抽選情報が視認可能となることを特徴とする請求項１〜３のいずれか１項に記載の抽選券である。
【０００８】
また、請求項５に係る発明は、透明基材の一方の側の面に、少なくとも低融点金属薄膜層と透明性を有する保護層とが順次設けてなる隠蔽シートを作成する工程と、他の側の面に、少なくとも受像層、抽選情報層および反射隠蔽層とを順次設け、該受像層は前記透明基材よりも小さい面積で設け、該受像層上に抽選に用いられる前記抽選情報層を構成する抽選情報を記録して抽選シートを作成する工程からなることを特徴とする抽選券の製造方法である。
【０００９】
また、請求項６に係る発明は、前記受像層が、透明性を有し、インクジェットによる画像情報の記録に関わる受像適性を有することを特徴とする請求項５記載の抽選券の製造方法である。
【００１０】
また、請求項７に係る発明は、前記抽選情報層に記録されている抽選情報が、インクジェット記録による抽選情報からなることを特徴とする請求項５または６記載の抽選券の製造方法である。
【００１１】
また、請求項８に係る発明は、請求項５記載の抽選券の製造方法において、透明基材の一方の側の面に、少なくとも低融点金属薄膜層と透明性を有する保護層とが順次設けてなる工程で作成されたことを特徴とする隠蔽シートである。
【００１２】
また、請求項９に係る発明は、請求項５記載の抽選券の製造方法において、プラスチックを主体とするシート状基材の一方の側の面に、少なくとも受像層、抽選情報層および反射隠蔽層とを順次設け、該受像層は前記透明基材よりも小さい面積で設け、該受像層上に抽選に用いられる前記抽選情報層を構成する抽選情報を記録する工程で作成されたことを特徴とする抽選シートである。
【００１３】
また、請求項１０に係る発明は、請求項５記載の抽選券の製造方法において、不透明性シート状基材の一方の側の面に、少なくとも受像層、抽選情報層および反射隠蔽層とを順次設け、該受像層は前記透明基材よりも小さい面積で設け、該受像層上に抽選に用いられる前記抽選情報層を構成する抽選情報を記録する工程で作成されたことを特徴とする抽選シートである。
【００１４】
また、請求項１１に係る発明は、前記不透明基材と受像層との間に、前記抽選情報層側に光りを反射する反射層が設けてあることを特徴とする請求項１０記載の抽選シートである。
【００１５】
また、請求項１２に係る発明は、前記不透明基材が、該基材の少なくとも一部を隠蔽する不透明性を発揮する部分を有することを特徴とする請求項１０または１１記載の抽選シートである。
【００１６】
【発明の実施の形態】
以下に、本発明の実施の形態を詳細に説明する。
図１は、本発明による抽選券の一実施例を示す平面図であり、図２は、図１の抽選券のＸ−Ｘ面の断面図であり、図３は、図１の抽選券の低融点金属薄膜層の一部を溶融破壊した抽選券の平面図であり、図４は、図３の抽選券のＹ−Ｙ面の断面図である。図５は、本発明による抽選券の一実施例を示す断面図である。図６は、実施例１における抽選券の断面図である。図７は、実施例２における抽選券の断面図である。図８は、実施例３における抽選券の断面図である。図９は、実施例４における抽選券の断面図である。
【００１７】
本発明の抽選券１は、図１の平面図に示すように、抽選部２と絵柄印刷層１７よりなり、この抽選部２は、図１のＸ−Ｘ面の断面図として図２に示すように、基材１１の片面に低融点金属薄膜層１２と保護層１３が設けられ、他面に抽選情報層１４と反射隠蔽層１７が設けられたものである。図１に示すように抽選部２は低融点金属薄膜層があるため、下部の抽選情報を視認することができない。しかし、図３に示すように、サーマルヘッド等による印字によって、下部の抽選情報１６を視認することができる。即ち、低融点金属薄膜層１２は、下方の抽選情報層１４に記録されている情報を隠蔽するものであり、従来のゴム系隠蔽インキを用いた抽選券（くじ）と異なり、金属の融点以上の温度になるようにサーマルヘッド等で加熱することによって隠蔽性を失い、透明基材を介して抽選情報をみることができるようにした抽選券（くじ）である。
【００１８】
抽選情報１６を印刷した面に金属薄膜層１２を直接に蒸着法によって設けたり、プライマー層を設けてから蒸着法によって設けたりしても、その層厚が薄いと抽選情報が肉眼で見えてしまい完全な隠蔽が困難であった。
本発明においては、抽選情報と金属薄膜層との間に間隙を設け、抽選情報を暈し肉眼での視認性をなくしたものである。
この間隙としては、約１０μｍ以上を必要とする。本発明においては、厚さ１０μｍ以上の透明基材の片面に低融点金属薄膜層を、また他面に抽選情報層を設けることによって、この間隙を保ち、低融点金属薄膜層の下方にある抽選情報の視認性をなくしたものである。
厚さ１０μｍ以上の透明基材１１としては、厚さ１０μｍ以上のプラスチック基材を用いることができ、例えば、ポリエチレンテレフタレートフィルム、ポリエチレンナフタレートフィルム、ポリ塩化ビニル、ポリエステル、ポリカーボネート、ポリメタクリル酸メチル、ポリスチレン等の合成樹脂、天然樹脂、紙、合成紙などを単独で又は組合わせた複合体が使用可能である。
【００１９】
低融点金属薄膜層１２としては、Ｓｎ、Ａｌ及び合成金属等の低融点金属を単独又は複合して使用することができ、蒸着法、スパッタ法等の既知の手段により、透明基材１１上に形成される。
【００２０】
保護層１３としては、耐摩擦性を有している材料であれば、熱可塑性樹脂、熱硬化性樹脂、紫外線あるいは電子線硬化性樹脂のいずれであっても良い。一例として、ポリアクリル酸エステル樹脂、塩化ゴム系樹脂、塩化ビニル−酢酸ビニル共重合樹脂、セルロース系樹脂、塩素化ポリプロピレン系樹脂、エポキシ系樹脂、ポリエステル系樹脂、ニトロセルロース系樹脂、スチレンアクリレート系樹脂、ポリエーテル系樹脂、ポリカーボネイト系樹脂等熱可塑性樹脂やメラミン、エポキシ等の熱硬化性樹やラジカル重合性不飽和基を有する紫外線あるいは電子線硬化性樹脂等を単独あるいは複合して用いることができる。また、耐摩性を考慮し、石油系ワックス、植物系ワックス等の各種ワックス、ステアリン酸等の脂肪酸やその金属塩、シリコンオイル等の滑剤や、テフロン（登録商標）パウダー、ポリエチレンパウダー、シリコーン系微粒子やアクリルニトリル系微粒子等の有機フィラーおよび、シリカ微粒子等の無機フィラーを添加することもできる。これらの材料は、例えばグラビア印刷法、スクリーン印刷法、ノズルコーター法等の既知の塗布手段により低融点金属薄膜層１２上に塗布される。
【００２１】
抽選情報層１４は、抽選に用いられる情報の層である。抽選情報層１４は、セキュリティ性を高めるために、透明基材より一回り小さく形成されたインクジェット用受像層１５に、インクジェットプリンターにより文字、記号、数字、図形、又は画像の少なくともいずれかが抽選情報１６として記録することで設けられる。抽選情報層１４が設けられる面は光反射層上の透明基材側に向いた面、あるいは透明基材と光反射層との間に透明層が設けてある時は、その透明層の上下いずれかでもよい。
インクジェット用受像層としては、透明性を有し、耐水性等の耐性を有している材料であれば、熱可塑性樹脂あるいは熱硬化性樹脂のいずれであっても良い。例を挙げれば、ポリビニルアルコール及びその誘導体と、ポリエステルエマルジョン、ポリウレタンエマルジョン、酢酸ビニルエマルジョン、塩化ビニリデンエマルジョン、スチレンブタジエンエマルジョン、アクリルエマルジョン等の水分散性高分子化合物を用いることができる。
インクジェット用受像層を支持体上に設ける手段としては、ロールコーター、エアーナイフコーター、バーコーター、カーテンコーター、グラビアコーター等の既知の塗布手段により、透明基材１１上に塗布される。
【００２２】
本発明による抽選券の製造方法としては、例えば、図２に示すように、透明基材１１の片側に低融点金属薄膜層１２と保護層１３及び印刷層１８を順次設けたシートを作製し、次に、低融点金属薄膜層１２等を設けた面とは反対側にインクジェット用受像層１５に可変情報としての抽選情報１６を印字し抽選情報層１４を形成した後、反射隠蔽層１７を印刷又はコーティングによって設け、抽選券とする製造方法が挙げられる。
また、例えば、図５に示すように、反射隠蔽層を１枚の基材２２とし、その上にインクジェット用受像層１５を該基材２２より一回り小さく形成し、その上に、インクジェットプリンター等によって可変情報としての抽選情報１６を印字することで抽選シート２１を作製し、予め用意した、透明基材１１上に低融点金属薄膜層１２と保護層１３と印刷層１８を順次設設けた隠蔽シート２０を貼り合わせる方法がコスト的にも管理的にも有利である。更に、インクジェット用受像層１５を該基材２２より一回り小さく設けてあるため、抽選券とした場合の剥がし等の不正行為を防ぐことができる。
【００２３】
【実施例】
本発明を、具体的な実施例をあげて詳細に説明する。
【００２４】
＜実施例１＞
図６は、実施例１における抽選券の断面図である。先ず、透明基材１１としてＰＥＴ１８８μｍ上にグラビアコーティング法により接着アンカー層３１（ポリエステル樹脂）を３μｍ設け、その上に低融点金属蒸着層１２として蒸着法によりＳｎ（融点２３０℃）を１００ｎｍの厚さで設けた。
その上に保護層１３として、グラビアコーティング法によりアクリル樹脂（＋ワックス系滑材）を厚さ３μｍで設けた上にグラビア印刷法により所定の柄（宝くじ）の絵柄印刷層１８を設けた。
【００２５】
次に、絵柄印刷層１８などが設けられた透明基材１１の低融点金属蒸着層１２と反対側に、グラビアパターン印刷法によりインクジェット用受像層１５を抽選券サイズより一回り小さい形状で、厚さ１５μｍ設けた上に、あらかじめプログラムされたゲームの抽選情報１６を下記［インクジェット用受像層の組成１］からなるインクジェット用受像層１５上にインクジェットプリンターにより逆文字（鏡面文字）にて印字して抽選情報層１４を形成した。
さらに、該抽選情報層上にスクリーン印刷法により銀インキ（東洋インキ製造（株）「ＳＳ６Ｋ＋アルミペースト」）を印刷後の膜厚が１０μｍになるように設け反射隠蔽層１７とした。こうして加熱によって不可逆的に情報を開封でき、更に、溶剤や熱等による剥がしが不可能な抽選券を得た。
［インクジェット用受像層の成分１］
ポリビニルアルコール　　　　　　　　　　　　　　　２０重量部
スチレン−メタクリル酸共重合体エマルション　　　　７５重量部
水　　　　　　　　　　　　　　　　　　　　　　　　　５重量部
【００２６】
＜実施例２＞
図７は、実施例２における抽選券の断面図である。先ず、透明基材１１としてＰＥＴ１８８μｍ上にグラビアコーティング法により接着アンカー層３１（ポリエステル樹脂）を３μｍ設け、その上に低融点金属蒸着層１２として蒸着法によりＳｎ（融点２３０℃）を１００ｎｍの厚さで設けた。
その上に保護層１３として、グラビアコーティング法によりアクリル樹脂（＋ワックス系滑材）を厚さ３μｍで設けた上にグラビア印刷法により所定の柄（宝くじ）の絵柄印刷層１８を設けた。
【００２７】
次に、絵柄印刷層１８などが設けられた透明基材１１の低融点金属蒸着層１２と反対側に、あらかじめプログラムされたゲームの抽選情報１６を下記［インクジェット用受像層の組成２］からなるインクジェット用受像層１５上にインクジェットプリンターにより逆文字（鏡面文字）にて印字して抽選情報層１４を形成した。
次に、該抽選情報層上にスクリーン印刷法により白インキ（東洋インキ製造（株）「ＳＳＮＳＡ白」）を印刷後の膜厚が１０μｍになるように設け反射隠蔽層１７とした。更に、該反射隠蔽層上にスクリーン印刷法により銀インキ（東洋インキ製造（株）「ＳＳ６Ｋ＋アルミペースト」）を印刷後の膜厚が５μｍになるように設け裏面隠蔽層３３とした。こうして加熱によって不可逆的に情報を開封でき、更に、溶剤や熱等による剥がしが不可能な抽選券を得た。
［インクジェット用受像層の組成２］
アクリル樹脂エマルション　　　　　　　　　　　　　８０重量部
シリカ　　　　　　　　　　　　　　　　　　　　　　１０重量部
消泡剤　　　　　　　　　　　　　　　　　　　　　　　１重量部
水　　　　　　　　　　　　　　　　　　　　　　　　　９重量部
【００２８】
＜実施例３＞
図８は、実施例３における抽選券の断面図である。先ず、透明基材１１としてのＰＥＴ２５μｍ上にグラビアコーティング法により接着アンカー層３１（ポリエステル樹脂）を３μｍ設け、その上に低融点金属蒸着層１２として蒸着法によりＳｎ（融点２３０℃）を２００ｎｍの厚さで設けた。
その上に保護層１３として、アクリル樹脂（＋ワックス系滑材）からなる保護層を３μｍ設け、さらに絵柄印刷層１８を設けた。その反対面側にグラビアコーティング法により接着剤層３４としてアクリル樹脂を１０μｍ設け、隠蔽シート２０を作製した。
【００２９】
次に、上質紙２３（１３５ｋｇ）にグラビアコーティング法により下記［インクジェット用受像層の組成１］からなるインクジェット用受像層１５を１５μｍ塗布し、その上に、あらかじめプログラムされたゲームの抽選情報１６をインクジェットプリンターにより正文字にて印字して抽選情報層１４を形成し、抽選シート２１を作製した。
こうして得られた隠蔽シート２０と抽選シート２１をロールプレス機により１４０℃の温度で貼り合わせ、１枚のシートにした。
こうして加熱によって不可逆的に情報を開封でき、更に、溶剤や熱等による剥がしが不可能な抽選券を得た。
［インクジェット用受像層の成分１］
ポリビニルアルコール　　　　　　　　　　　　　　　２０重量部
スチレン−メタクリル酸共重合体エマルション　　　　７５重量部
水　　　　　　　　　　　　　　　　　　　　　　　　　５重量部
【００３０】
＜実施例４＞
図９は、実施例４における抽選券の断面図である。先ず、透明基材１１としてのＰＥＴ２５μｍ上にグラビアコーティング法により接着アンカー層３１（ポリエステル樹脂）を３μｍ設け、その上に低融点金属蒸着層１２として蒸着法によりＳｎ（融点２３０℃）を１５０ｎｍの厚さで設けた。
その上に保護層１３として、アクリル樹脂（＋ワックス系滑材）からなる保護層を３μｍ設け、さらに絵柄印刷層１８を設けた。その反対面側に下記［インクジェット用受像層の組成２］からなるインクジェット用受像層のインキを用いてグラビアコーティング法によりインクジェット用受像層１５としてポリエステル樹脂を５μｍ設けた上に、あらかじめプログラムされたゲームの抽選情報１６をインクジェットプリンターにより逆文字（鏡面文字）にて印字して抽選情報層１４を形成し、隠蔽シート２０を作製した。
【００３１】
次に、抽選シートの支持基材２４としてＰＥＴ２５μｍ上にグラビアコーティング法により接着層３４を１５μｍ塗布し、接着層３４とは反対側の基材上にスクリーン印刷法により銀インキ（東洋インキ製造（株）「ＳＳ６Ｋ＋アルミペースト」）を印刷後の膜厚が１０μｍになるように設け反射隠蔽層１７を形成し、抽選シート２１を作製した。
こうして得られた隠蔽シート２０と抽選シート２１をロールプレス機により１４０℃の温度で貼り合わせ、１枚のシートにした。
こうして加熱によって不可逆的に情報を開封でき、更に、溶剤や熱等による剥がしが不可能な抽選券を得た。
［インクジェット用受像層の組成２］
アクリル樹脂エマルション　　　　　　　　　　　　　８０重量部
シリカ　　　　　　　　　　　　　　　　　　　　　　１０重量部
消泡剤　　　　　　　　　　　　　　　　　　　　　　　１重量部
水　　　　　　　　　　　　　　　　　　　　　　　　　９重量部
【００３２】
実施例１乃至４で得られた抽選券は抽選情報層を構成するインクジェット用受像層が透明基材より一回り小さく設けたことで、基材剥がし等の偽造防止性を有し、更に、十分な隠蔽性をもっているため、各種光源による透過光及び反射光に対して抽選情報を完全に目視不可能となるため、不正行為を防止することができる。こうして製造された抽選券は、例えば、サーマルヘッドによる局所加熱により低融点金属薄膜は溶融破壊され隠蔽性を失い、その抽選情報は透明基材を介して視認できるものとなる。
【００３３】
【発明の効果】
本発明により、抽選情報層を構成するインクジェット用受像層を透明基材より小さい面積で設けることで、基材剥がし等の偽造防止性を有し、従来のコインで削るタイプのものと異なり、機械によってのみ開封可能であり、不正に開封した後に開封した部分（低融点金属薄膜層の溶融破壊部分）を復元することは極めて困難である。この抽選券は、開封の順序によって価値が異なってくる抽選システムに採用できるものである。
【図面の簡単な説明】
【図１】本発明による抽選券の一実施例を示す平面図である。
【図２】図１の抽選券のＸ−Ｘ面の断面図である。
【図３】図１の抽選券の低融点金属薄膜層の一部を溶融破壊した抽選券の平面図である。
【図４】図３の抽選券のＹ−Ｙ面の断面図である。
【図５】本発明による抽選券一実施例を示す断面図である。
【図６】実施例１における抽選券の断面図である。
【図７】実施例２における抽選券の断面図である。
【図８】実施例３における抽選券の断面図である。
【図９】実施例４における抽選券の断面図である。
【符号の説明】
１・・・抽選券
２・・・抽選部
１１・・・透明基材
１２・・・低融点金属薄膜層
１３・・・保護層
１４・・・抽選情報層
１５・・・インクジェット用受像層
１６・・・抽選情報
１７・・・反射隠蔽層
１８・・・絵柄印刷層
１９・・・溶融破壊後の低融点金属薄膜層の状態
２０・・・隠蔽シート
２１・・・抽選シート
２２・・・反射隠蔽性のある基材
２３・・・上質紙
２４・・・抽選シートの支持基材
３１・・・接着アンカー層
３３・・・裏面隠蔽層
３４・・・接着層
【図１】
2004101594.tif 000003
【図２】
2004101594.tif 000004
【図３】
2004101594.tif 000005
【図４】
2004101594.tif 000006
【図５】
2004101594.tif 000007
【図６】
2004101594.tif 000008
【図７】
2004101594.tif 000009
【図８】
2004101594.tif 000010
【図９】
2004101594.tif 000011